(57)【要約】  本発明は、保存後でも、ポリヘキサニド及び／又はその塩による殺菌作用を有効に発揮でき、且つ経時的に白濁が生じずに優れた外観性状を保持できるコンタクトレンズケア用組成物を提供する。  (A)ポリヘキサニド及びその塩よりなる群から選択される少なくとも1種、(B)ポリオキシエチレンポリオキシプロピレングリコール、(C)ヒドロキシプロピルメチルセルロース及びその塩よりなる群から選択される少なくとも1種、並びに(D)エチレンジアミン酢酸、その誘導体、及びそれらの塩よりなる群から選択される少なくとも１種0.04〜0.2w/v％を組み合わせて配合して、コンタクトレンズケア用組成物を調製する。【特許請求の範囲】
【請求項１】
(A)ポリヘキサニド及びその塩よりなる群から選択される少なくとも1種、(B)ポリオキシエチレンポリオキシプロピレングリコール、(C)ヒドロキシプロピルメチルセルロース及びその塩よりなる群から選択される少なくとも1種、並びに(D)エチレンジアミン酢酸、その誘導体、及びそれらの塩よりなる群から選択される少なくとも１種0.04〜0.2w/v％を含有することを特徴とする、コンタクトレンズケア用組成物。
【請求項２】
(A)ポリヘキサニド及びその塩よりなる群から選択される少なくとも1種、(B)ポリオキシエチレンポリオキシプロピレングリコール、(C)ヒドロキシプロピルメチルセルロース及びその塩よりなる群から選択される少なくとも1種、並びに(D)エチレンジアミン酢酸、その誘導体、及びそれらの塩よりなる群から選択される少なくとも１種0.04〜0.2w/v％を含有することを特徴とする、コンタクトレンズケア用水性組成物。
【請求項３】
更に、(E)ホウ酸緩衝剤、並びに(F)塩化ナトリウム及び塩化カリウムよりなる群から選択される少なくとも1種を含有し、(E)成分の総量100重量部に対して(F)成分が総量で100重量部以上の比率を充足する、請求項１又は２に記載のコンタクトレンズケア用組成物。
【請求項４】
(B)成分の含有割合が、0.01〜0.5w/v％である、請求項１〜３のいずれかに記載のコンタクトレンズケア用組成物。
【請求項５】
(A)成分の含有割合が、0.00005〜0.00012w/v％である、請求項１〜４のいずれかに記載のコンタクトレンズケア用組成物。
【請求項６】
更に、(G)モノテルペンを含有する、請求項１〜５のいずれかに記載のコンタクトレンズケア用組成物。
【請求項７】
請求項１〜６のいずれかに記載のコンタクトレンズケア用組成物が、ポリエステル系を構成樹脂とするプラスチック製容器に充填されてなる、コンタクトレンズケア用品。
【請求項８】
(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を併用することを特徴とする、ポリヘキサニド及び／又はその塩の殺菌作用の低下を抑制する方法。
【発明の詳細な説明】
【技術分野】
【０００１】
本発明は、コンタクトレンズケア用組成物に関する。詳細には、本発明は、保存後でも、ポリヘキサニド及び／又はその塩の殺菌作用を有効に発揮でき、更には白濁が生じずに優れた外観性状を保持できるコンタクトレンズケア用組成物に関する。
【背景技術】
【０００２】
コンタクトレンズ（以下、単にCL、または単にレンズと表記することもある）は、眼鏡に比べて、視野が広い、像の歪みが少ない、裸眼時と顔の印象が変わらない等の利点があり、今日では多くの人がコンタクトレンズを装用している。その反面、コンタクトレンズは、装用中又は保存中に微生物と接触し易い環境に晒され、微生物の温床になり易く、汚染され易いという欠点がある。例えば、装用中には、外界から眼に入った微生物や眼粘膜に存在する微生物、脱着時には手指上の微生物、保存時にはコンタクトレンズケース内で繁殖した微生物がコンタクトレンズに付着することもある。【０００３】
コンタクトレンズに付着した微生物は、コンタクトレンズの装用感を悪化させることがあり、更にはそれが病原性微生物である場合には、眼感染症の一因にもなりかねない。また、結膜常在微生物の多くは非病原性であるが、コンタクトレンズに過剰に微生物が付着すると、付着した微生物から分泌される菌体外物質によりコンタクトレンズ表面にバイオフィルムが形成され、病原性微生物の温床となる危険性があり、眼感染症のリスクを高めることになる。【０００４】
そのため、コンタクトレンズは、洗浄や消毒等のレンズケアによって、微生物の付着がない清潔な状態を維持することが不可欠である。【０００５】
従来、コンタクトレンズの洗浄や消毒をするために、殺菌剤を配合したコンタクトレンズケア用組成物が使用されている。コンタクトレンズケア用組成物の中でも、コンタクトレンズ消毒・洗浄・保存液（マルチパーパスソリューション）は、コンタクトレンズを介して角膜に直接接触する製剤であることから、配合される殺菌剤は高い安全性を備えていることが肝要とされている。【０００６】
一方、ポリヘキサニド及び／又はその塩は、殺菌作用に加えて、高い生体適合性を有しており、コンタクトレンズケア用組成物（とりわけ、コンタクトレンズ消毒・洗浄・保存液）への配合に適した殺菌剤と考えられている。従来、ポリヘキサニド及び／又はその塩を配合したコンタクトレンズケア用組成物の処方も報告されている（特許文献１−２参照）。しかしながら、ポリヘキサニド及び／又はその塩を配合したコンタクトレンズケア用組成物において、保存後でも殺菌作用を損なうことなく有効に発揮させるための技術や製剤的な安定性を備えさせるための技術については、十分に検討がなされていないのが現状である。
【先行技術文献】
【特許文献】
【０００７】
【特許文献１】特表２００７−５３２５４４号公報
【特許文献２】特表２００１−５０４２４５号公報
【発明の概要】
【発明が解決しようとする課題】
【０００８】
本発明者は、ポリヘキサニド及び／又はその塩を含むコンタクトレンズケア用組成物の開発を目的として種々の検討を重ねたところ、他の配合成分の種類や含有量によっては、保存後に、ポリヘキサニド及び／又はその塩による殺菌作用が減弱して、所期の消毒効果を有効に発揮できず、更には経時的に白濁が生じる場合があることを見出した。コンタクトレンズケア用組成物は、製造から流通の段階のみならず、消費者の手元での保管、使用開始、使用終了に至るまでに、長期間保存される。そのため、製造直後のみならず経時的にも殺菌作用が安定に保持され、白濁等の変化が生じないことが当然に望まれる。このような背景の下、ポリヘキサニド及び／又はその塩を含むコンタクトレンズケア用組成物を製剤設計する上で、保存後でも、ポリヘキサニド及び／又はその塩による殺菌作用を損なうことなく有効に発揮させ、且つ白濁等が生じることのない優れた製剤を提供する技術の開発が必要とされる。【０００９】
そこで、本発明は、保存後でも、ポリヘキサニド及び／又はその塩による殺菌作用を有効に発揮でき、且つ経時的に白濁等の外観性状の変化が生じないコンタクトレンズケア用組成物を提供することを目的とする。
【課題を解決するための手段】
【００１０】
本発明者は、上記課題を解決すべく鋭意検討を行ったところ、驚くべきことに、コンタクトレンズケア用組成物中に、ポリヘキサニド及び／又はその塩と共に、ポリオキシエチレンポリオキシプロピレングリコール、ヒドロキシプロピルメチルセルロース及び／又はその塩、並びに０．０４〜０．２w/v％のエチレンジアミン四酢酸及び／又はその塩を組み合わせて配合することによって、保存後でも、ポリヘキサニド及び／又はその塩による殺菌作用を有効に発揮させることができ、しかも経時的に白濁を生じさせることなく優れた外観性状を保ち得ることを見出した。更に、本発明者は、上記配合成分を組み合わせて含有するコンタクトレンズケア用組成物では、ポリオキシエチレンポリオキシプロピレングリコールが低分子化し難く、安定であることをも見出した。また、本発明者は、上記配合成分を組み合わせて含有するコンタクトレンズケア用組成物は、コンタクトレンズを擦り洗いし易く、また、当該組成物でコンタクトレンズを処理すると、コンタクトレンズの装着感も良好であり、優れた使用感を備えていることを見出した。また更に、本発明者は、上記配合成分を組み合わせて含有するコンタクトレンズケア用組成物でコンタクトレンズを処理すると、乾燥によるコンタクトレンズの硬度の上昇を抑制でき、乾燥した雰囲気に晒されてもコンタクトレンズの柔軟性を保持できることをも見出した。本発明は、これらの知見に基づいて、更に検討を重ねることにより完成したものである。【００１１】
即ち、本発明は、下記態様のコンタクトレンズケア用組成物、これを用いたコンタクトレンズケア用品、及びコンタクトレンズの処理方法を提供する。
項1-1．  (A)ポリヘキサニド及びその塩よりなる群から選択される少なくとも1種、(B)ポリオキシエチレンポリオキシプロピレングリコール、(C)ヒドロキシプロピルメチルセルロース及びその塩よりなる群から選択される少なくとも1種、並びに(D)エチレンジアミン酢酸、その誘導体、及びそれらの塩よりなる群から選択される少なくとも１種0.04〜0.2w/v％を含有することを特徴とする、コンタクトレンズケア用組成物。
項1-2．  (A)成分として、下記一般式(1)で示される化合物及びその塩からなる群より選択される少なくとも1種を含む、項1-1に記載のコンタクトレンズケア用組成物。【００１２】
【化１】
2012005311.tif 000002
【００１３】
［式(1)中、R1及びR2は、同一又は異なって、下記一般式(2)に示される基又はアミノ基であり、ｎは１〜５００の整数を示す。］【００１４】
【化２】
2012005311.tif 000003
【００１５】
項1-3．  式(1)中、R1はアミノ基であり、且つR2は一般式(2)に示される基である、項1-2に記載のコンタクトレンズケア用組成物。
項1-4．  (A)成分として、ポリヘキサニドの塩酸塩を含む、項1-1乃至1-3のいずれかに記載のコンタクトレンズケア用組成物。
項1-5．  (A)成分の含有割合が、0.00005〜0.00012w/v％である、項1-1乃至1-4のいずれかに記載のコンタクトレンズケア用組成物。
項1-6．  (B)成分として、ポロクサマー４０７を含む、項1-1乃至1-5のいずれかに記載のコンタクトレンズケア用組成物。
項1-7．  (B)成分の含有割合が、0.01〜0.5w/v％である、項1-1乃至1-6のいずれかに記載のコンタクトレンズケア用組成物。
項1-8．  (C)成分として、ヒドロキシプロピルメチルセルロースを含む、項1-1乃至1-7のいずれかに記載のコンタクトレンズケア用組成物。
項1-9．  (C)成分の含有割合が、0.01〜0.5w/v％である、項1-1乃至1-8のいずれかに記載のコンタクトレンズケア用組成物。
項1-10．  (D)成分として、エチレンジアミン四酢酸及びその塩よりなる群から選択される少なくとも1種を含む、項1-1乃至1-9のいずれかに記載のコンタクトレンズケア用組成物。
項1-11．  更に、(E)ホウ酸緩衝剤を含有する、項1-1乃至1-10のいずれかに記載のコンタクトレンズケア用組成物。
項1-12．  更に、(F)塩化ナトリウム及び塩化カリウムよりなる群から選択される少なくとも1種を含有する、項1-1乃至1-11のいずれかに記載のコンタクトレンズケア用組成物
項1-13．  更に、(E)ホウ酸緩衝剤、並びに(F)塩化ナトリウム及び塩化カリウムよりなる群から選択される少なくとも1種を含有し、(F)成分の総量100重量部に対して(E)成分が総量で100重量部以上の比率を充足する、項1-1乃至1-12のいずれかに記載のコンタクトレンズケア用組成物。
項1-14．  更に、(G)モノテルペンを含有する、項1-1乃至1-13のいずれかに記載のコンタクトレンズケア用組成物。
項1-15．  ｐＨが６．０〜８．０である、項1-1乃至1-14のいずれかに記載のコンタクトレンズケア用組成物。
項1-16．  コンタクトレンズ消毒・洗浄・保存液（マルチパーパスソリューション）である、項1-1乃至1-15のいずれかに記載のコンタクトレンズケア用組成物。
項1-17．  ソフトコンタクトレンズに適用される、項1-1乃至1-16のいずれかに記載のコンタクトレンズケア用組成物。
項1-18．  ソフトコンタクトレンズが、ＦＤＡの基準によるソフトコンタクトレンズ分類グループIVに属するレンズである、項1-17に記載のコンタクトレンズケア用組成物。
項1-19．  項1-1乃至1-18のいずれかに記載のコンタクトレンズケア用組成物が、容器に充填されてなる、コンタクトレンズケア用品。
項1-20．  容器が、ポリエステル系樹脂を構成樹脂とするプラスチック製容器である、項1-19に記載のコンタクトレンズケア用品。
項1-21．  容器がポリエチレンテレフタレートを構成樹脂とするプラスチック製容器である、項1-19又は1-20のいずれかに記載のコンタクトレンズケア用品。
項1-22．  項1-1乃至1-18のいずれかに記載のコンタクトレンズケア用組成物に、コンタクトレンズを１分間以上浸漬することを特徴とする、コンタクトレンズの処理方法。【００１６】
また、本発明は、下記に掲げる、ポリヘキサニド及び／又はその塩の殺菌作用の低下抑制方法、及びコンタクトレンズケア用組成物にポリヘキサニド及び／又はその塩の殺菌作用の低下を抑制する作用を付与する方法を提供する。
項2-1．  (A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を併用することを特徴とする、ポリヘキサニド及び／又はその塩の殺菌作用の低下を抑制する方法。
項2-2．  (A)ポリヘキサニド及びその塩よりなる群から選択される少なくとも１種を含有するコンタクトレンズケア用組成物に、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、ポリヘキサニド及び／又はその塩の殺菌作用の低下を抑制する作用を該コンタクトレンズケア用組成物に付与する方法。【００１７】
また、本発明は、下記に掲げる、コンタクトレンズケア用組成物の白濁防止方法、及びコンタクトレンズケア用組成物に白濁を防止する作用を付与する方法を提供する。
項3-1．  コンタクトレンズケア用組成物において、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を併用することを特徴とする、該コンタクトレンズケア用組成物における白濁を防止する方法。
項3-2．  (A)ポリヘキサニド及びその塩よりなる群から選択される少なくとも１種を含有するコンタクトレンズケア用組成物に、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、白濁を防止する作用を該コンタクトレンズケア用組成物に付与する方法。
項3-3．  (A)ポリヘキサニド及びその塩よりなる群から選択される少なくとも１種、(B)ポリオキシエチレンポリオキシプロピレングリコール、並びに(C)ヒドロキシプロピルメチルセルロース及びその塩よりなる群から選択される少なくとも１種を含有するコンタクトレンズケア用組成物に、(D)エチレンジアミン酢酸、その誘導体、及びそれらの塩よりなる群から選択される少なくとも１種0.04〜0.2w/v％を配合することを特徴とする、白濁を防止する作用を該コンタクトレンズケア用組成物に付与する方法。【００１８】
また、本発明は、下記に掲げる、ポリオキシエチレンポリオキシプロピレングリコールの低分子化抑制方法、及びコンタクトレンズケア用組成物にポリオキシエチレンポリオキシプロピレングリコールの低分子化を抑制する作用を付与する方法を提供する。
項4-1．  コンタクトレンズケア用組成物において、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を併用することを特徴とする、該コンタクトレンズケア用組成物におけるポリオキシエチレンポリオキシプロピレングリコールの低分子化を抑制する方法。
項4-2．  (B)ポリオキシエチレンポリオキシプロピレングリコールを含有するコンタクトレンズケア用組成物に、(A)ポリヘキサニド及びその塩よりなる群から選択される少なくとも１種、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、ポリオキシエチレンポリオキシプロピレングリコールの低分子化を防止する作用を該コンタクトレンズケア用組成物に付与する方法。【００１９】
更に、本発明は、下記に掲げる、乾燥によるコンタクトレンズの硬度の上昇の抑制方法、及びコンタクトレンズケア用組成物に乾燥によるコンタクトレンズの硬度の上昇を抑制する作用を付与する方法を提供する。
項5-1．  (A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を含有するコンタクトレンズケア用組成物を用いて、コンタクトレンズを処理することを特徴とする、乾燥によるコンタクトレンズの硬度の上昇を抑制する方法。
項5-2．  コンタクトレンズケア用組成物に、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、乾燥によるコンタクトレンズの硬度の上昇を抑制する作用を該コンタクトレンズケア用組成物に付与する方法。
【発明の効果】
【００２０】
本発明のコンタクトレンズケア用組成物は、保存後でも、ポリヘキサニド及び／又はその塩による殺菌作用を有効に発揮でき、且つ経時的な白濁が生じずに優れた外観性状を保つことができる。そのため、製造から流通の段階、及び消費者によって使用が終了するまでの長期間保存されても、殺菌作用、外観性状を維持でき、長期に亘り十分に実使用に耐えることができる。また、本発明のコンタクトレンズケア用組成物においては、ポリオキシエチレンポリオキシプロピレングリコールの低分子化が抑制されている。そのため、製剤安定性に優れたコンタクトレンズケア用組成物を提供することができる。【００２１】
更に、本発明のコンタクトレンズケア用組成物は、コンタクトレンズの擦り洗いをし易く、また、当該組成物でコンタクトレンズを処理すると、更にはコンタクトレンズの装着感も良好であるので、消費者の使用感を十分に満足させることもできる。【００２２】
また、コンタクトレンズは、乾燥によって悪影響を受けやすい。例えば、コンタクトレンズ装用中には、エアコン等の環境要因による乾燥や、パソコン画面の凝視等による瞬きの減少等から、コンタクトレンズ表面が乾燥し易い傾向にある。そして、その結果、コンタクトレンズの柔らかさが損なわれ、装用感の悪化や視界不良等に繋がる畏れがある。また、一旦乾燥により硬くなってしまったコンタクトレンズは、本来の柔軟性を取り戻すことが困難である。これに対して、本発明のコンタクトレンズケア用組成物は、乾燥によるコンタクトレンズの硬度の上昇を抑制でき、乾燥した雰囲気に晒されてもコンタクトレンズの柔軟性を保持できるので、乾燥によるコンタクトレンズへの悪影響も払拭することができる。
【発明を実施するための形態】
【００２３】
１．コンタクトレンズケア用組成物
本発明のコンタクトレンズケア用組成物（以下、CLケア用組成物と表記することもある）は、ポリヘキサニド及びその塩からなる群より選択される少なくとも1種（以下、(A)成分と表記することもある）を含有する。
【００２４】
ポリヘキサニドは、ポリヘキサメチレンビグアニド又はＰＨＭＢと称される公知の殺菌剤である。本発明で使用されるポリヘキサニドについては、医薬上、薬理学的に（製薬上）又は生理学的に許容されることを限度として、特に制限されるものではないが、具体的には、下記一般式(1)に示される化合物が例示される。
【００２５】
【化３】
2012005311.tif 000004
【００２６】
一般式(1)中、R1及びR2は、同一又は異なって、下記一般式(2)で示される基又はアミノ基を示す。好ましくはR1がアミノ基であり、且つR2が一般式(2)で示される基又はアミノ基であり、更に好ましくはR1がアミノ基であり、R2が一般式(2)で示される基である。
【００２７】
【化４】
2012005311.tif 000005
【００２８】
また、一般式(1)中、ｎは、１〜５００の整数を示す。好ましくは、２〜２００の整数、更に好ましくは４〜１００の整数、特に好ましくは８〜２０の整数を示す。
【００２９】
ポリヘキサニドの塩としては、医薬上、薬理学的に（製薬上）又は生理学的に許容されるものである限り、特に制限されない。ポリヘキサニドの塩として、具体的には、塩酸、臭化水素、硫酸、ホウ酸等の無機酸塩；酢酸、グルコン酸、マレイン酸、アスコルビン酸、ステアリン酸、酒石酸、クエン酸等の有機酸塩が例示される。これらのポリヘキサニドの塩の中でも、好ましくは無機酸塩であり、更に好ましくは塩酸塩である。これらのポリヘキサニドの塩は、１種単独で使用してもよく、また２種以上を任意に組み合わせて使用してもよい。
【００３０】
本発明のCLケア用組成物において、(A)成分は、ポリヘキサニド及びその塩の中から１種のものを単独で使用してもよく、また２種以上のものを任意に組み合わせて使用してもよい。(A)成分の中でも、殺菌作用を一層安定に保持させ、更には白濁等を防止して外観性状を一層良好に保つという観点から、好ましくは一般式(1)で示されるポリヘキサニド又はその無機酸塩、更に好ましくは一般式(1)で示されるポリヘキサニド又はその塩酸塩、特に好ましくは一般式(1)で示されるポリヘキサニドの塩酸塩が挙げられる。ここで例示する(A)成分は、(B)成分の低分子化を抑制する、CLケア用組成物の使用感を一層向上させる、又は乾燥によるコンタクトレンズの硬度上昇に対する抑制作用を一層高めるという観点からも好適である。
【００３１】
本発明のCLケア用組成物において、上記(A)成分の含有割合は、該(A)成分の種類、他の配合成分の種類等に応じて適宜設定されるが、一例として、該CLケア用組成物の総量に対して、該(A)成分が総量で0.00005〜0.00012w/v％、好ましくは0.00006〜0.00012w/v％、更に好ましくは0.00007〜0.00012w/v％が例示される。(A)成分が上記含有割合の範囲内にあれば、高い安全性を有しつつ、殺菌作用及び外観性状を一層安定に維持することができる。また、(A)成分の上記含有割合は、本発明の他の効果をより有効に奏させる上でも好適である。
【００３２】
本発明のCLケア用組成物は、更にポリオキシエチレンポリオキシプロピレングリコール（以下、(B)成分と表記することもある）を含有する。また、以下、ＰＯＥはポリオキシエチレン、ＰＯＰはポリオキシプロピレン、括弧内の数字は付加モル数を表す。
【００３３】
ＰＯＥＰＯＰグリコールは、プロピレンオキシドを付加重合させて得られるポリプロピレングリコールにエチレンオキシドを付加重合した化合物であり、下記の一般式で示される。
【００３４】
【化５】
2012005311.tif 000006
【００３５】
本発明で使用されるＰＯＰＰＯＥグリコールについては、その分子量、プロピレンオキサイドとエチレンオキサイドの平均重合度等については特に制限されないが、平均分子量は1000〜30000が好ましく、1500〜20000がより好ましく、2000〜15000が特に好ましい。また、上記一般式中ｙで表されるプロピレンオキサイドの平均重合度は５〜100が好ましく、20〜80がより好ましく、30〜70がさらに好ましく、60〜70が特に好ましい。また、上記一般式中ｘおよびｚで表されるエチレンオキサイドの平均重合度は、併せて３〜250が好ましく、20〜220がより好ましく、50〜200がさらに好ましく、150〜200が特に好ましい。これらのＰＯＰＰＯＥグリコールとしては、ＰＯＥ（196）ＰＯＰ（67）グリコール（ポロクサマー４０７、平均分子量１１５００）、ＰＯＥ（24）ＰＯＰ（20）グリコール（ポロクサマー１２４、平均分子量２２００）、ＰＯＥ（160）ＰＯＰ（30）グリコール（ポロクサマー１８８、平均分子量８３５０）、ＰＯＥ（54）ＰＯＰ（39）グリコール（ポロクサマー２３５、平均分子量４６００）、ＰＯＥ（200）ＰＯＰ（70）グリコール等が挙げられる。これらの中でも、CLケア用組成物の殺菌作用をより一層安定に保持させ、ＰＯＰＰＯＥグリコールの低分子化をより有効に抑制させるという観点から、好ましくは、ポロクサマー４０７が例示される。ここで例示する(B)成分は、CLケア用組成物の使用感を一層向上させる、又は乾燥によるコンタクトレンズの硬度上昇に対する抑制作用を一層高めるという観点からも好適である。
【００３６】
本発明のCLケア用組成物において、上記(B)成分の含有割合は、該(B)成分の種類、他の配合成分の種類等に応じて適宜設定されるが、一例として、該CLケア用組成物の総量に対して、該(B)成分が総量で0.01〜0.5w/v％、好ましくは0.01〜0.3w/v％、更に好ましくは0.05〜0.2w/v％が例示される。(B)成分が上記含有割合の範囲内にあれば、殺菌作用及び外観性状を一層安定に維持することができる。また、(B)成分の上記含有割合は、本発明の他の効果をより有効に奏させる上でも好適である。
【００３７】
本発明のCLケア用組成物において、(A)成分に対する(B)成分の比率については、特に制限されるものではないが、CLケア用組成物の殺菌作用をより一層安定に保持させ、更には白濁等を防止して外観性状を一層良好に保つという観点から、(A)成分の総量1重量部当たり、上記(B)成分の総量が80〜10000重量部、好ましくは80〜6000重量部、更に好ましくは400〜4000重量部となる範囲が例示される。ここで例示する比率は、(B)成分の低分子化を一層抑制する、CLケア用組成物の使用感を一層向上させる、又は乾燥によるコンタクトレンズの硬度上昇に対する抑制作用を一層高めるという観点からも好適である。
【００３８】
また、本発明のCLケア用組成物は、更にヒドロキシプロピルメチルセルロース及びその塩からなる群より選択される少なくとも１種（以下、(C)成分と表記することもある）を含有する。
【００３９】
本発明に使用されるヒドロキシプロピルメチルセルロースは、医薬上、薬理学的に（製薬上）又は生理学的に許容される限り、特に制限されるものではない。また、ヒドロキシプロピルメチルセルロースにおけるメトキシ基とヒドロキシプロポキシ基の含有量についても、特に制限されないが、例えば、分子（１００重量％）内に、メトキシ基が１９〜３１．５重量％及びヒドロキシプロポキシ基が４〜１２重量％含まれるものが例示される。本発明に使用されるヒドロキシプロピルメチルセルロースとして、具体的には、ヒドロキシプロピルメチルセルロース（置換度タイプ２２０８）、ヒドロキシプロピルメチルセルロース（置換度タイプ２９０６）、ヒドロキシプロピルメチルセルロース（置換度タイプ２９１０）、ヒドロキシプロピルメチルセルロース（置換度タイプ１８２８）等が挙げられる。
【００４０】
また、ヒドロキシプロピルメチルセルロースの塩としては、医薬上、薬理学的に（製薬上）又は生理学的に許容されることを限度として、特に制限されるものではない。塩の形態の中でも、好ましくは無機塩基との塩、より好ましくはアルカリ金属塩、更に好ましくはナトリウム塩及びカリウム塩、特に好ましくはナトリウム塩が挙げられる。これらのヒドロキシプロピルメチルセルロースの塩は、１種単独で使用してもよく、また２種以上を任意に組み合わせて使用してもよい。
【００４１】
ヒドロキシプロピルメチルセルロース及びその塩の分子量については、置換基の種類や置換度等によって異なるが、通常、重量平均分子量で０．１万〜１５０万、好ましくは０．５万〜１３０万、更に好ましくは１万〜１００万程度のものを使用することができる。
【００４２】
本発明のCLケア用組成物において、(C)成分は、ヒドロキシプロピルメチルセルロース及びその塩の中から１種のものを単独で使用してもよく、また２種以上のものを任意に組み合わせて使用してもよい。(C)成分の中でも、CLケア用組成物の殺菌作用をより一層安定に保持させ、更には白濁等を防止して外観性状を一層良好に保つという観点から、好ましくはヒドロキシプロピルメチルセルロースが挙げられる。ここで例示する(C)成分は、(B)成分の低分子化を一層抑制する、CLケア用組成物の使用感を一層向上させる、又は乾燥によるコンタクトレンズの硬度上昇に対する抑制作用を一層高めるという観点からも好適である。
【００４３】
本発明のCLケア用組成物において、上記(C)成分の含有割合は、該(C)成分の種類、他の配合成分の種類等に応じて適宜設定されるが、一例として、該CLケア用組成物の総量に対して、該(C)成分が総量で0.01〜0.5w/v％、好ましくは0.01〜0.3w/v％、更に好ましくは0.01〜0.1w/v％が例示される。(C)成分が上記含有割合の範囲内にあれば、殺菌作用及び外観性状を一層安定に維持することができる。また、(C)成分の上記含有割合は、本発明の他の効果をより有効に奏させる上でも好適である。
【００４４】
本発明のCLケア用組成物において、(A)成分に対する(C)成分の比率については、特に制限されるものではないが、CLケア用組成物の殺菌作用をより一層安定に保持させ、更には白濁等を防止して外観性状を一層良好に保つという観点から、(A)成分の総量1重量部当たり、上記(C)成分の総量が80〜10000重量部、好ましくは80〜6000重量部、更に好ましくは80〜2000重量部となる範囲が例示される。ここで例示する比率は、(B)成分の低分子化を一層抑制する、CLケア用組成物の使用感を一層向上させる、又は乾燥によるコンタクトレンズの硬度上昇に対する抑制作用を一層高めるという観点からも好適である。
【００４５】
更に、本発明のCLケア用組成物は、上記(A)〜(C)成分に加えて、エチレンジアミン酢酸、その誘導体、及びそれらの塩からなる群より選択される少なくとも１種（以下、(D)成分と表記することもある）を0.04〜0.2w/v％の含有割合で含む。このように、上記(A)〜(C)成分と共に、特定の割合の(D)成分を含有することによって、CLケア用組成物の殺菌作用を安定に保持させ、更には経時的に白濁が生じることなく、外観性状を良好に保つことが可能になる。また、上記(A)〜(C)成分と特定の割合の(D)成分を一体として含むことによって、(B)成分の低分子化を抑制し、CLケア用組成物の使用感を向上させ、乾燥によるコンタクトレンズの硬度上昇を抑制することも可能になる。
【００４６】
本発明に使用されるエチレンジアミン酢酸は、エチレンジアミンの２つのアミノ基に対して１〜４個のカルボキシメチル基が結合した化合物であり、本発明において上記(D)成分として使用されるエチレンジアミン酢酸については、医薬上、薬理学的に（製薬上）又は生理学的に許容される限り、特に制限されない。本発明に使用されるエチレンジアミン酢酸としては、具体的には、エチレンジアミン二酢酸(EDDA)、エチレンジアミン三酢酸、エチレンジアミン四酢酸（エデト酸、EDTA）等が例示される。また、エチレンジアミン酢酸の誘導体としては、N-(2-ヒドロキシエチル）エチレンジアミン三酢酸(HEDTA)、ジエチレントリアミン五酢酸（DTPA）等が例示される。これらのエチレンジアミン酢酸及びその誘導体の中でも、エチレンジアミン四酢酸が好ましい。これらのエチレンジアミン酢酸及び／又はその誘導体は、１種単独で使用してもよく、また２種以上を任意に組み合わせて使用してもよい。
【００４７】
また、エチレンジアミン酢酸及び／又はその誘導体の塩としては、医薬上、薬理学的に（製薬上）又は生理学的に許容されるものであれば、特に制限されないが、具体的には、無機塩基との塩［例えば、アンモニウム塩；アルカリ金属（ナトリウム、カリウム等）、アルカリ土類金属（カルシウム、マグネシウム等）、アルミニウム等の金属との塩等］等が挙げられる。これらの塩の中でも、好ましくはアルカリ金属塩、更に好ましくはナトリウム塩及びカリウム塩、特に好ましくはナトリウム塩が挙げられる。これらの塩は、１種単独で使用してもよく、また２種以上を任意に組み合わせて使用してもよい。
【００４８】
なお、(D)成分として使用されるエチレンジアミン酢酸、その誘導体及び／又はそれらの塩は、水和物の形態であってもよい。
【００４９】
本発明のCLケア用組成物において、(D)成分は、エチレンジアミン酢酸、その誘導体、及びそれらの塩の中から１種のものを単独で使用してもよく、また２種以上のものを任意に組み合わせて使用してもよい。(D)成分の中でも、CLケア用組成物の殺菌作用をより一層安定に保持させ、更には白濁を抑制して外観性状を一層良好に保つという観点から、好ましくはエチレンジアミン四酢酸及びその塩、更に好ましくはエチレンジアミン四酢酸のアルカリ金属塩、特に好ましくはエチレンジアミン四酢酸のナトリウム塩、更に特に好ましくはエチレンジアミン四酢酸二ナトリウムが挙げられる。なお、エチレンジアミン四酢酸二ナトリウムとは、第十五改正日本薬局方のエデト酸ナトリウム水和物（二水和物）を意味する。ここで例示する(D)成分は、(B)成分の低分子化を一層抑制する、CLケア用組成物の使用感を一層向上させる、又は乾燥によるコンタクトレンズの硬度上昇に対する抑制作用を一層高めるという観点からも好適である。
【００５０】
本発明のCLケア用組成物において、上記(D)成分の含有割合は、該CLケア用組成物の総量に対して、該(D)成分が総量で0.04〜0.2w/v％を充足する範囲であればよいが、CLケア用組成物の殺菌作用をより一層安定に保持させ、更には外観性状を一層良好に保つという観点から、好ましくは0.04〜0.15w/v％、更に好ましくは0.04〜0.1w/v％が例示される。(D)成分が上記含有割合の範囲内にあれば、低刺激性で良好な使用感を備えさせつつ、殺菌作用及び外観性状を一層安定に維持することができる。また、(D)成分の上記含有割合は、本発明の他の効果をより有効に奏させる上でも好適である。
【００５１】
本発明のCLケア用組成物において、(A)成分に対する(D)成分の比率については、特に制限されるものではないが、CLケア用組成物の殺菌作用をより一層安定に保持させ、更には白濁を抑制して外観性状を一層良好に保つという観点から、(A)成分の総量1重量部当たり、上記(D)成分の総量が300〜4000重量部、好ましくは300〜3000重量部、更に好ましくは300〜2000重量部となる範囲が例示される。ここで例示する比率は、(B)成分の低分子化を一層抑制する、CLケア用組成物の使用感を一層向上させる、又は乾燥によるコンタクトレンズの硬度上昇に対する抑制作用を一層高めるという観点からも好適である。
【００５２】
また、本発明のCLケア用組成物において、(C)成分に対する(D)成分の比率については、特に制限されるものではないが、CLケア用組成物の殺菌作用をより一層安定に保持させ、更には白濁を抑制して外観性状を一層良好に保つという観点から、(C)成分の総量1重量部当たり、上記(D)成分の総量が0.08〜20重量部、好ましくは0.1〜15重量部、更に好ましくは0.4〜10重量部となる範囲が例示される。ここで例示する比率は、(B)成分の低分子化を一層抑制する、CLケア用組成物の使用感を一層向上させる、又は乾燥によるコンタクトレンズの硬度上昇に対する抑制作用を一層高めるという観点からも好適である。
【００５３】
更に、本発明のCLケア用組成物は、ホウ酸緩衝剤（以下、(E)成分と表記することもある）を含有することが好ましい。
【００５４】
本発明で使用されるホウ酸緩衝剤は、医薬上、薬理学的に（製薬上）又は生理学的に許容される限り、特に制限されないが、例えば、ホウ酸（オルトホウ酸）、メタホウ酸、次ホウ酸、四ホウ酸及びこれらの塩等が挙げられる。これらの塩としては、例えば、アルカリ金属塩、アルカリ土類金属塩、アンモニウム塩等が例示される。(E)成分として使用されるホウ酸緩衝剤として、具体的には、ホウ酸、メタホウ酸、次ホウ酸、ホウ酸ナトリウム、テトラホウ酸カリウム、テトラホウ酸ナトリウム、メタホウ酸カリウム、ホウ酸アンモニウム、ホウ砂等が例示される。これらは、水和物であってもよい。これらのホウ酸緩衝剤は、１種単独で使用してもよく、また２種以上を組み合わせて使用してもよい。(E)成分として、好ましくはホウ酸とホウ砂の組合せ（併用）が例示される。尚、ホウ酸、ホウ砂は、日本薬局方適合品が好適に用いられ、これらは市販のものを用いることができる。
【００５５】
(E)成分として、例えばホウ酸とホウ砂を組み合わせて使用する場合、これらの比率については、特に制限されるものではないが、ホウ酸１００重量部当たり、ホウ砂が総量で、通常０．１〜２００重量部、好ましくは１〜１００重量部、更に好ましくは５〜５０重量部が挙げられる。
【００５６】
本発明のCLケア用組成物において、上記(E)成分の含有割合は、該(E)成分の種類、他の配合成分の種類等に応じて適宜設定されるが、一例として、該CLケア用組成物の総量に対して、該(E)成分が総量で0.1〜2.0w/v％、好ましくは0.2〜1.5w/v％、更に好ましくは0.4〜1.0w/v％が例示される。
【００５７】
また、本発明のCLケア用組成物は、塩化ナトリウム及び塩化カリウムよりなる群から選択される少なくとも１種（以下、(F)成分と表記することもある）を含有することが好ましい。
【００５８】
本発明のCLケア用組成物において、(F)成分は、塩化ナトリウム及び塩化カリウムの中から一方を単独で使用してもよく、また双方を組み合わせて使用してもよい。(F)成分として、好ましくは塩化ナトリウムと塩化カリウムの組み合わせ（併用）が例示される。
【００５９】
(F)成分として、塩化ナトリウムと塩化カリウムを組み合わせて使用する場合、これらの比率については、特に制限されるものではないが、塩化ナトリウム100重量部当たり、塩化カリウムが総量で、通常1〜100重量部、好ましくは1〜50重量部、更に好ましくは5〜20重量部が挙げられる。
【００６０】
本発明のCLケア用組成物において、上記(F)成分の含有割合は、該(F)成分の種類、他の配合成分の種類等に応じて適宜設定されるが、一例として、該CLケア用組成物の総量に対して、該(F)成分が総量で0.01〜2w/v％、好ましくは0.02〜1w/v％、更に好ましくは0.03〜0.5w/v％が例示される。
【００６１】
本発明のCLケア用組成物において、殺菌作用をより一層安定に保持させ、更には白濁を抑制して外観性状を一層良好に保つために、上記(E)成分と(F)成分を組み合わせて含有することが好ましい。とりわけ、上記(F)成分の総量100重量部あたり、上記(E)成分が総量で100重量部以上、好ましくは100〜300重量部、更に好ましくは100〜200重量部、特に好ましくは100〜150重量部の比率を充足することによって、殺菌作用の安定保持効果及び白濁抑制効果を格段顕著に向上させることが可能になる。また、上記の(E)成分と(F)成分の併用及びそれらの上記比率は、(B)成分の低分子化を一層抑制する、CLケア用組成物の使用感を一層向上させる、又は乾燥によるコンタクトレンズの硬度上昇に対する抑制作用を一層高めるという観点からも好適である。
【００６２】
更に、本発明のCLケア用組成物は、モノテルペン（以下、(G)成分と表記することもある）を含有することが好ましい。本発明のCLケア用組成物において、更に(G)成分を含有することによって、殺菌作用をより一層安定に保持させ、更には白濁を抑制して性状外観を一層良好に保つことが可能になる。また、(G)成分は、(B)成分の低分子化を一層抑制する、CLケア用組成物の使用感のより一層の向上にも寄与しうる。
【００６３】
モノテルペンは、イソプレンユニットを構成単位とする構造を有し、清涼化剤として汎用されている公知の化合物である。
【００６４】
本発明に使用されるモノテルペンとしては、医薬上、薬理学的に（製薬上）又は生理学的に許容される限り、特に制限されない。モノテルペンとして、具体的には、メントール、メントン、カンフル、ボルネオール、ゲラニオール、シネオール、シトロネロール、カルボン、アネトール、オイゲノール、リモネン、リナロール、酢酸リナリル、これらの誘導体等が挙げられる。これらの化合物はｄ体、ｌ体又はｄｌ体のいずれでもよい。また、本発明において、モノテルペンとして、上記化合物を含有する精油を使用してもよい。このような精油としては、例えば、ユーカリ油、ベルガモット油、ペパーミント油、クールミント油、スペアミント油、ハッカ油、ウイキョウ油、ケイヒ油、ローズ油、樟脳油等が挙げられる。これらのモノテルペンは、１種単独で使用してもよく、また２種以上を任意に組み合わせて使用してもよい。
【００６５】
これらのモノテルペンの中でも、好ましくは、メントール、メントン、カンフル、ボルネオール、ゲラニオール、更に好ましくはl-メントール、dl-メントール、d-カンフル及びdl-カンフルが挙げられ、これらを含有する精油としてクールミント油、ペパーミント油、ハッカ油、樟脳油等が例示される。
【００６６】
本発明のCLケア用組成物において、上記(G)成分の含有割合は、該(G)成分の種類、他の配合成分の種類等に応じて適宜設定されるが、一例として、該CLケア用組成物の総量に対して、該(G)成分が総量で0.0001〜0.02w/v％、好ましくは0.0002〜0.01w/v％、更に好ましくは0.0005〜0.005w/v％が例示される。なお、(G)成分として、モノテルペンを含む精油を使用する場合は、配合される精油中のモノテルペン含有量が上記含有割合を満たすように設定される。
【００６７】
本発明のCLケア用組成物は、上記(E)成分以外の緩衝剤を含有してもよい。本発明のCLケア用組成物に配合できる緩衝剤としては、医薬上、薬理学的に（製薬上）又は生理学的に許容されるものであれば、特に制限されない。かかる緩衝剤の一例として、リン酸緩衝剤、炭酸緩衝剤、クエン酸緩衝剤、酢酸緩衝剤、トリス緩衝剤等が挙げられる。これらの緩衝剤は組み合わせて使用しても良い。
【００６８】
また、本発明のCLケア用組成物は、上記(B)成分以外の界面活性剤を含有してもよい。本発明のCLケア用組成物に配合可能な界面活性剤としては、医薬上、薬理学的に（製薬上）又は生理学的に許容されることを限度として特に制限されず、非イオン性界面活性剤、両性界面活性剤、陰イオン性界面活性剤、陽イオン性界面活性剤のいずれであってもよい。
【００６９】
本発明のCLケア用組成物は、更に上記(F)成分以外の等張化剤を含有してもよい。本発明のCLケア用組成物に配合できる等張化剤としては、医薬上、薬理学的に（製薬上）又は生理学的に許容されるものであれば、特に制限されない。
【００７０】
本発明のCLケア用組成物のｐＨについては、医薬上、薬理学的に（製薬上）又は生理学的に許容される範囲内であれば特に限定されるものではない。本発明のCLケア用組成物において、殺菌作用をより一層安定に保持させ、更には白濁を抑制して性状外観を一層良好に保つために、本発明のCLケア用組成物のｐＨの一例として、6.0〜8.0、好ましくは6.2〜8.0、更に好ましくは6.5〜7.8となる範囲が挙げられる。また、上記のｐＨは、(B)成分の低分子化を一層抑制する、CLケア用組成物の使用感を一層向上させる、又は乾燥によるコンタクトレンズの硬度上昇に対する抑制作用を一層高めるという観点からも好適である。
【００７１】
また、本発明のCLケア用組成物の浸透圧については、生体に許容される範囲内であれば、特に制限されない。本発明のCLケア用組成物の浸透圧比の一例として、好ましくは０．７〜５．０、更に好ましくは０．９〜３．０、特に好ましくは１．０〜２．０となる範囲が挙げられる。浸透圧比は、第十五改正日本薬局方に基づき0.9w/v％塩化ナトリウム水溶液の浸透圧に対する試料の浸透圧の比とし、浸透圧は日本薬局方記載の浸透圧測定法（氷点降下法）を参考にして測定する。浸透圧比測定用標準液は、塩化ナトリウム（日本薬局方標準試薬）を500〜650℃で40〜50分間乾燥した後、デシケーター（シリカゲル）中で放冷し、その0.900ｇを正確に量り、精製水に溶かし正確に100ｍＬとして調製するか、市販の浸透圧比測定用標準液（0.9w/v％塩化ナトリウム水溶液）を用いる。
【００７２】
本発明のCLケア用組成物には、上記の成分に加えて、有効成分（薬理活性成分や生理活性成分等）を配合することができる。このような成分の種類は特に制限されず、例えば、充血除去成分、眼筋調節薬成分、抗炎症薬成分又は収斂薬成分、抗ヒスタミン薬成分又は抗アレルギー薬成分、ビタミン類、アミノ酸類、抗菌薬成分又は殺菌薬成分、糖類、高分子化合物又はその誘導体、セルロース又はその誘導体、局所麻酔薬成分等が例示できる。
【００７３】
また、本発明のCLケア用組成物には、発明の効果を損なわない範囲であれば、その用途や形態に応じて、常法に従い、様々な成分や添加物を適宜選択し、一種またはそれ以上を併用して含有させることができる。それらの成分または添加物として、例えば、液剤の調製に一般的に使用される担体（水性溶媒、水性又は油性基剤など）、防腐剤、殺菌剤又は抗菌剤、ｐＨ調節剤、キレート剤、安定化剤等の各種添加剤を挙げることができる。
【００７４】
以下に本発明のCLケア用組成物に使用される代表的な他の成分を例示するが、これらに限定されない。
【００７５】
担体：例えば、水、含水エタノール等の水性溶媒など。
【００７６】
ｐＨ調節剤：例えば、塩酸、水酸化ナトリウムなど。
【００７７】
本発明のCLケア用組成物は、所望量の上記(A)〜(D)成分、及び必要に応じて他の成分を所望の濃度となるように添加することにより調製される。
【００７８】
本発明のCLケア用組成物は、コンタクトレンズの洗浄、消毒、保存等に利用できる限り、その剤型については特に制限されないが、液状が好ましい。本発明のCLケア用組成物を液状（水性組成物）にする場合、医薬上、薬理学的に（製薬上）又は生理学的に許容される水を水性担体として使用すればよく、このような水として、具体的には、蒸留水、常水、精製水、滅菌精製水、注射用水、注射用蒸留水等が例示される。これらの定義は第十五改正日本薬局方に基づく。尚、本発明のCLケア用組成物を水性組成物とする場合の水の含有割合については、通常、CLケア用組成物の全量に対し、水を総量で５０ｗ／ｖ％以上、より好ましくは８０ｗ／ｖ％以上、更に好ましくは９０ｗ／ｖ％以上、特に好ましくは９５ｗ／ｖ％以上とすればよい。
【００７９】
本発明のCLケア用組成物は、コンタクトレンズの洗浄、消毒、保存等のコンタクトレンズケアに使用されるものであり、その製剤形態として、具体的には、コンタクトレンズ消毒剤、コンタクトレンズ用保存剤、コンタクトレンズ用洗浄剤、コンタクトレンズ用洗浄保存剤、コンタクトレンズ用消毒・洗浄・保存剤（マルチパーパスソリューション）等が挙げられる。これらの製剤形態の中でも、コンタクトレンズ消毒剤、コンタクトレンズ用消毒・洗浄・保存剤（マルチパーパスソリューション）が好適である。また、コンタクトレンズ消毒・洗浄・保存剤（マルチパーパスソリューション）は、コンタクトレンズの消毒・洗浄・保存を一剤で行うため、コンタクトレンズを介して角膜に直接接触する製剤である。従って、有効性、安全性等の面から、本発明のCLケア用組成物の製剤形態として特に好適である。
【００８０】
なお、本発明において、コンタクトレンズとは、ソフトコンタクトレンズ、ハードコンタクトレンズ、及び酸素透過性ハードコンタクトレンズのいずれをも包含する。また、ソフトコンタクトレンズとは、イオン性及び非イオン性の双方を包含し、シリコーンハイドロゲルコンタクトレンズ及び非シリコーンハイドロゲルコンタクトレンズ（シリコーンハイドロゲルレンズでは無いソフトコンタクトレンズ）の双方を包含する。
【００８１】
コンタクトレンズの中でも、ソフトコンタクトレンズは、微生物が付着しやすく、CLケア用組成物による微生物の殺菌が強く要求される。更に、ソフトコンタクトレンズは、白濁等により均一性が損なわれたCLケア用組成物で処理すると、物性変化を受け易いレンズでもある。また、乾燥によるレンズ硬度の上昇が起こりやすく、柔らかさの保持が強く求められる。かかる観点から、本発明のCLケア用組成物は、ソフトコンタクトレンズケア用組成物（即ち、適用対象レンズがソフトコンタクトレンズであるCLケア用組成物）が好適である。
【００８２】
また、本発明のCLケア用組成物をソフトコンタクトレンズに適用する場合、適用対象となるソフトコンタクトレンズの含水率については特に制限されないが、例えば、含水率が２０％以上、好ましくは３０％以上、より好ましくは５０〜９０％である。
【００８３】
ここでソフトコンタクトレンズの含水率とは、ソフトコンタクトレンズ中の水の割合を示し、具体的には以下の計算式により求められる。
【００８４】
含水率（%）=（含水した水の重量／含水状態のソフトコンタクトレンズの重量）×100
かかる含水率はISO18369-4:2006の記載に従って、重量測定方法により測定され得る。  
【００８５】
また、ソフトコンタクトレンズの中でも、含水率が５０％以上であるレンズは高含水ソフトコンタクトレンズと呼ばれ、素材中に含まれる水分が多いため微生物が繁殖しやすく、より高い殺菌力が求められる。また、高含水ソフトコンタクトレンズの中でも、特にＦＤＡの基準によるソフトコンタクトレンズ分類グループIVのレンズは、上記ソフトコンタクトレンズ、高含水ソフトコンタクトレンズの特性に加え、乾燥によるコンタクトレンズの硬度上昇を受け易く、当該硬度上昇の抑制が強く求められる。更に、ソフトコンタクトレンズの中でも、高含水ソフトコンタクトレンズ、特にソフトコンタクトレンズ分類グループIVのレンズの物性は、白濁等により均一性が損なわれたCLケア用組成物によって悪影響を受け易く、白濁等がなく均一性の高いCLケア用組成物での処理が強く求められる。これに対して、本発明のCLケア用組成物によれば、優れた殺菌作用と共に、乾燥によるコンタクトレンズの硬度上昇を有効に抑制でき、更には白濁が生じることなく組成の均一性を保持できるので、高含水ソフトコンタクトレンズ、特にソフトコンタクトレンズ分類グループIVのレンズの上記欠点を解消することができる。かかる利点を鑑みれば、本発明のCLケア用組成物の好適な適用対象のコンタクトレンズの一例として、高含水ソフトコンタクトレンズ、特にソフトコンタクトレンズ分類グループIVのレンズが挙げられる。
【００８６】
本発明のCLケア用組成物を用いて、コンタクトレンズの洗浄、消毒、保存等の処理を行う方法については特に制限されないが、好適な一例として下記態様が例示される。
コンタクトレンズを洗浄する場合：コンタクトレンズに1〜10滴、好ましくは2〜4滴の本発明のCLケア用組成物を滴下し、両面各々20〜30回程度指でこすり洗いした後に、1〜20mL、好ましくは1〜5ｍＬ程度の本発明のCLケア用組成物ですすぎを行う。
コンタクトレンズを消毒・保存する場合：コンタクトレンズ１枚を、0.5〜5mL、好ましくは1〜3mLの本発明のCLケア用組成物に浸漬して、1分以上、好ましくは10分以上、更に好ましくは4時間以上保存する。コンタクトレンズを本発明のCLケア用組成物に浸漬する際に用いるレンズケースの種類については特に制限されないが、プラスチック製レンズケースが好適である。このようなレンズケースを構成する樹脂としては、熱可塑性樹脂が好ましい。熱可塑性樹脂としては、ポリエチレン、ポリプロピレン等のオレフィン系樹脂、アクリロニトリルブタジエンスチレン共重合体（ＡＢＳ樹脂）のようなアクリロニトリル−スチレン共重合体（ＡＳ樹脂）等のスチレン系樹脂等が挙げられる。
【００８７】
なお、本発明のCLケア用組成物がコンタクトレンズ用消毒・洗浄・保存剤（マルチパーパスソリューション）である場合には、上記の洗浄と消毒・保存を一連に行えばよい。
【００８８】
本発明のCLケア用組成物は、容器に収容して、コンタクトレンズケア用品として提供される。本発明のCLケア用組成物を収容する容器の種類については特に制限されず、プラスチック製及びガラス製のいずれであってもよいが、プラスチック製容器は、軽量でスクイズ性が良好で、繰り返しの押圧に対する耐久性を有しているので、CLケア用組成物の収容に好適である。
【００８９】
本発明のCLケア用組成物の収容に使用されるプラスチック製容器を構成する樹脂としては、熱可塑性樹脂が好ましい。このような熱可塑性樹脂としては、例えば、ポリエチレンテレフタレート(PET)、ポリエチレンナフタレート、ポリアリレート等のポリエステル系樹脂；ポリエチレン、ポリプロピレン等のオレフィン系樹脂；ポリスチレン、アクリロニトリル−スチレン共重合体（ＡＳ樹脂）等のスチレン系樹脂；ポリフェニレンエーテル系樹脂；ポリカーボネート系樹脂；ポリスルホン系樹脂；ポリアミド系樹脂；硬質塩化ビニル樹脂等が例示される。
【００９０】
上記熱可塑性樹脂の中でも、ポリエステル系樹脂、特にPETを構成樹脂とする容器は、ポリヘキサニド及び／又はその塩の殺菌作用を経時的に減弱させ易い傾向にあり、更にはポリヘキサニド及び／又はその塩を含むコンタクトレンズケア用組成物の経時的な白濁を招き易く、ポリオキシエチレンポリオキシプロピレングリコールの低分子化をも招きやすい特性がある。
これに対して、本発明のCLケア用組成物によれば、ポリエステル系樹脂、特にPETを構成樹脂とする容器に収容しても、このような懸念を払拭して、CLケア用組成物の殺菌作用を安定に保持させ、更には経時的に白濁が生じることなく外観性状を安定に保持することができる。かかる観点に鑑みれば、本発明のCLケア用組成物を収容する容器の好適な一例として、ポリエステル系樹脂製容器、好ましくはPET製容器を挙げることができる。PET製容器としては、PETを樹脂全体の50重量％以上、好ましくは70重量％以上、より好ましくは90重量％以上含有していればよい。
【００９１】
また、本発明のCLケア用組成物を容器に収容してコンタクトレンズケア用品として提供する場合、本発明のCLケア用組成物の容器への充填量については、特に制限されないが、通常50〜1000mL、好ましくは80〜600mLが例示される。
【００９２】
２．ポリヘキサニド及び／又はその塩の殺菌作用の低下抑制方法；CLケア用組成物にポリヘキサニド及び／又はその塩の殺菌作用の低下を抑制する作用を付与する方法
前述するように、上記(A)〜(C)成分と共に、特定の含有割合の(D)成分を一体として含有することによって、CLケア用組成物において、ポリヘキサニド及び／又はその塩の殺菌作用を経時的に低減させることなく、安定に保持させることができる。
【００９３】
従って、本発明は、更に別の観点から、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(E)エチレンジアミン酢酸、その誘導体、及びそれらの塩よりなる群から選択される少なくとも１種0.04〜0.2w/v％を併用することを特徴とする、ポリヘキサニド及び／又はその塩の殺菌作用の低下を抑制する方法を提供する。また、本発明は、(A)ポリヘキサニド及びその塩よりなる群から選択される少なくとも１種を含有するCLケア用組成物に、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、ポリヘキサニド及び／又はその塩の殺菌作用の経時的な低下を抑制する作用を該CLケア用組成物に付与する方法をも提供する。
【００９４】
これらの方法において、使用する(A)〜(D)成分の種類や含有割合、その他に配合される成分の種類や含有割合、組成物の製剤形態、容器、適用対象となるコンタクトレンズの種類、等については、前記「１．コンタクトレンズケア用組成物」と同様である。
【００９５】
３．CLケア用組成物の白濁防止方法；CLケア用組成物に白濁を防止する作用を付与する方法
前述するように、上記(A)〜(C)成分と共に、特定の含有割合の(D)成分を一体として含有することによって、CLケア用組成物において、経時的な白濁の発生を防止又は抑制して、外観性状を良好に保つことができる。
【００９６】
従って、本発明は、更に別の観点から、CLケア用組成物において、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を併用することを特徴とする、該CLケア用組成物における白濁を防止又は抑制する方法を提供する。また、本発明は、(A)ポリヘキサニド及びその塩よりなる群から選択される少なくとも１種を含有するCLケア用組成物に、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種を0.04〜0.2w/v％配合することを特徴とする、白濁を防止又は抑制する作用を該CLケア用組成物に付与する方法をも提供する。更に、本発明は、(A)ポリヘキサニド及びその塩よりなる群から選択される少なくとも１種、(B)ポリオキシエチレンポリオキシプロピレングリコール、並びに(C)ヒドロキシプロピルメチルセルロース及びその塩よりなる群から選択される少なくとも１種を含有するCLケア用組成物に、(D)エチレンジアミン酢酸、その誘導体、及びそれらの塩よりなる群から選択される少なくとも１種0.04〜0.2w/v％を配合することを特徴とする、白濁を防止又は抑制する作用を該CLケア用組成物に付与する方法をも提供する。
【００９７】
これらの方法において、使用する(A)〜(D)成分の種類や含有割合、その他に配合される成分の種類や含有割合、組成物の製剤形態、適用対象となるコンタクトレンズの種類等については、前記「１．コンタクトレンズケア用組成物」と同様である。
【００９８】
４．ポリオキシエチレンポリオキシプロピレングリコールの低分子化抑制方法；CLケア用組成物にポリオキシエチレンポリオキシプロピレングリコールの低分子化を抑制する作用を付与する方法
前述するように、上記(A)〜(C)成分と共に、特定の含有割合の(D)成分を一体として含有することによって、(B)成分が経時的に低分子化するのを抑制することができる。
【００９９】
従って、本発明は、更に別の観点から、CL用組成物において、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を併用することを特徴とする、該コンタクトレンズケア用組成物におけるポリオキシエチレンポリオキシプロピレングリコールの低分子化を抑制する方法を提供する。また、本発明は、(B)ポリオキシエチレンポリオキシプロピレングリコールを含有するコンタクトレンズケア用組成物に、(A)ポリヘキサニド及びその塩よりなる群から選択される少なくとも１種、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、ポリオキシエチレンポリオキシプロピレングリコールの低分子化を防止する作用を該コンタクトレンズケア用組成物に付与する方法をも提供する。
【０１００】
これらの方法において、使用する(A)〜(D)成分の種類や含有割合、その他に配合される成分の種類や含有割合、組成物の製剤形態、適用対象となるコンタクトレンズの種類等については、前記「１．コンタクトレンズケア用組成物」と同様である。
【０１０１】
５．乾燥によるコンタクトレンズの硬度の上昇の抑制方法；CLケア用組成物に乾燥によるコンタクトレンズの硬度の上昇を抑制する作用を付与する方法
前述するように、上記(A)〜(C)成分と共に、特定の含有割合の(D)成分を一体として含有するCLケア用組成物でコンタクトレンズを処理することによって、乾燥によるコンタクトレンズの硬度の上昇を抑制でき、乾燥した雰囲気に晒されてもコンタクトレンズの柔軟性を保持させることが可能になる。
【０１０２】
従って、本発明は、更に別の観点から、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を含有するコンタクトレンズケア用組成物を用いて、コンタクトレンズを処理することを特徴とする、乾燥によるコンタクトレンズの硬度の上昇を抑制する方法を提供する。また、本発明は、CLケア用組成物に、(A)ポリヘキサニド及びその塩よりなる群から選択される少なくとも１種、(B)ポリオキシエチレンポリオキシプロピレングリコール、(C)ヒドロキシプロピルメチルセルロース及びその塩よりなる群から選択される少なくとも１種、並びに(D)エチレンジアミン酢酸、その誘導体、及びそれらの塩よりなる群から選択される少なくとも１種0.04〜0.2w/v％を配合することを特徴とする、乾燥によるコンタクトレンズの硬度の上昇を抑制する作用を該CLケア用組成物に付与する方法をも提供する。
【０１０３】
これらの方法において、使用する(A)〜(D)成分の種類や含有割合、その他に配合される成分の種類や含有割合、組成物の製剤形態、適用対象となるコンタクトレンズの種類、CLケア用組成物でコンタクトレンズを処理する方法等については、前記「１．コンタクトレンズケア用組成物」と同様である。
【実施例】
【０１０４】
以下に、実施例に基づいて本発明を詳細に説明するが、本発明はこれらの実施例によって限定されるものではない。【０１０５】
試験例１：保存前後の殺菌力、外観性状等の評価
表１に示す組成のCLケア用組成物を調製し、下記の方法に従って、保存前後の殺菌力、製剤の性状外観、ポリオキシエチレンポリオキシプロピレングリコールの安定性を評価した。【０１０６】
【表１】
2012005311.tif 000007
【０１０７】
１．保存前後の殺菌力の測定方法
各CLケア用組成物をPET製容器（PET含有量90％以上、容量100mL）に100mLずつ充填し、キャップを施した上で60℃にて１ヶ月間保存した。これら60℃1ヶ月保存後及び保存前（調製直後）のCLケア用組成物を用いて、ISO14729の試験方法に従い、殺菌力試験を実施した。具体的にはISO14729で定められる細菌３菌種に1菌種を加えた４菌種（Staphylococcus aureus ATCC 6538、Pseudomonas aeruginosa ATCC9027、 Serratia marcescens ATCC13880、Escherichia coli ATCC 8739）及び真菌２菌種（Candida albicans ATCC10231, Fusarium solani ATCC36031）を用いて実施した。具体的には、細菌をトリプトソイ寒天（TSA）培地で、真菌をサブロー・デキストロース寒天（SDA）培地で混釈し、寒天が固化した後、細菌は32.5℃で48時間、真菌は22.5℃で72時間培養して発育する集落を計数した。培養菌体を白金耳で無菌的に採取し、適量の滅菌ダルベッコのリン酸緩衝生理食塩液（CaCl2，MgCl2不含有，DPBS）または0.05重量％Tween80を含むダルベッコのリン酸緩衝生理食塩液（CaCl2，MgCl2不含有，DPBST）に浮遊させて、約１×１０7コロニー形成単位(CFU)/mLの生菌を含む菌浮遊液を調製した。この菌浮遊液に対して、各CLケア用組成物を適量添加して、初期濃度が表２の濃度となるように調整した後に23±1℃で保存した。【０１０８】
【表２】
2012005311.tif 000008
【０１０９】
各CLケア用組成物について、保存4時間後の1mL当たりの生菌数を測定した。測定した生菌数から下記の判定基準に従って、各菌に対する殺菌力を評価した。
＜判定基準＞
細菌に対する殺菌力の判定基準
○：保存前の菌数のlog値に対して保存後の菌数のlog値減少が全ての菌種で４log以上である
△：保存前の菌数のlog値に対して保存後の菌数のlog値減少が３log以上４log未満の菌種が１以上ある
×：保存前の菌数のlog値に対して保存後の菌数のlog値減少が３log未満の菌種が１以上ある
−：評価せず
真菌に対する殺菌力の判定基準
◎：保存前の菌数のlog値に対して保存後の菌数のlog値減少が全ての菌種で３log以上である
○：保存前の菌数のlog値に対して保存後の菌数のlog値減少が２log以上３log未満の菌種が１以上ある
△：保存前の菌数のlog値に対して保存後の菌数のlog値減少が１log以上２log未満の菌種が１以上ある
×：保存前の菌数のlog値に対して保存後の菌数のlog値減少が１log未満の菌種が１以上ある
−：評価せず【０１１０】
２．外観性状の測定方法
各CLケア用組成物をPET製容器（PET含有量90％以上、容量100mL）に100mLずつ充填し、60℃で2週間及び40℃で1.5ヶ月間、遮光条件下で保存した。保存後、製剤の白濁の有無について黒色背景を用いて肉眼で観察した。【０１１１】
３．ポリオキシエチレンポリオキシプロピレングリコールの安定性測定方法
CLケア用組成物（実施例２−３及び比較例４−５）をPET製容器（PET含有量90％以上、容量100mL）に100mLずつ充填し、60℃で2週間、遮光条件下で保存した。保存後、高速液体クロマトグラフィーを用いて、ポリオキシエチレンポリオキシプロピレングリコールのクロマトグラムを得、保存前のクロマトグラムと比較し、ポリオキシエチレンポリオキシプロピレングリコールの分子量分布の変化を評価した。【０１１２】
３．結果
殺菌力及び外観性状の測定結果を表３に示す。【０１１３】
性状外観については、実施例１〜３及び比較例１〜６のいずれのCLケア用組成物でも、調製直後は澄明で外観性状に問題はなかったが、保存後では、比較例４及び５のCLケア用組成物において、明らかな白濁が認められた。これに対して、実施例１〜３のCLケア用組成物では、保存後でも白濁を生じることなく、澄明な外観性状を維持できていた。なお、いずれのCLケア用組成物でも、60℃2週間保存後の外観性状は、40℃1.5ヶ月間保存後の場合と同じ結果であった。即ち、この試験結果からは、エデト酸２ナトリウムの濃度が0.02w/v％以下の場合には、たとえポリヘキサニド塩酸塩、ポロクサマー４０７、及びヒドロキシプロピルメチルセルロースを組み合わせて含有しても、白濁を防止できないことが確認された。【０１１４】
殺菌力については、実施例１〜３及び比較例１〜６のいずれのCLケア用組成物でも、調製直後には判定結果が×となるものが無かったにも拘らず、６０℃１ヶ月保存後には、比較例１〜３及び６のCLケア用組成物において、殺菌力が大きく低下し、判定結果が×になっており、保存により殺菌作用の低下を招いていた。尚、ISO14729の規定によれば、上記判定基準において、判定結果が「×」のものは、規格に適合していないとされており、比較例１〜３及び６のCLケア用組成物は、実用に供することができないものである。これに対して、実施例１〜３のCLケア用組成物では、保存後でも優れた殺菌力を保持できていた。尚、比較例4、5については、保存後に白濁が生じていたことから、保存後の殺菌力を評価するまでもなかった。【０１１５】
以上の結果から明らかなように、比較例１〜７のCLケア用組成物には、保存後の殺菌力の維持と白濁の抑制された優れた外観性状を兼ね備えるものは無かったが、実施例１〜３のCLケア用組成物のいずれでも、保存後に殺菌力が安定に保持されており、更に保存によって白濁が生じることなく澄明な外観性状を維持できていた。【０１１６】
また、ポリオキシエチレンポリオキシプロピレングリコールの保存後のクロマトグラムを確認した結果、比較例４及び５のCLケア用組成物では明らかにポリオキシエチレンポリオキシプロピレングリコールの低分子化が進んでいたのに対し、実施例２及び３のCLケア用組成物の処方では、殆ど低分子化していなかった。【０１１７】
従って、本試験結果から、ポリヘキサニド塩酸塩、ポロクサマー４０７、ヒドロキシプロピルメチルセルロース、エデト酸２ナトリウム0.04〜0.2 w/v％を一体として含有することによって、保存後でも、ポリヘキサニド及び／又はその塩による殺菌作用を安定に保持し、且つ澄明な優れた外観性状を維持できることが明らかとなった。【０１１８】
【表３】
2012005311.tif 000009
【０１１９】
試験例２：使用感の評価
表４に示す実施例２及び比較例７のCLケア用組成物（製造直後）を用いて、使用感を評価するために、こすり洗いのし易さ及び装着感に関する試験を５名のパネラーにて実施した。具体的には、コンタクトレンズに各CLケア用組成物2滴を滴下し、指の腹で両面各々20回〜30回のこすり洗いを行い、軽く１〜３mLの各CLケア用組成物でコンタクトレンズをすすいだ後に、コンタクトレンズを目に装着した。その際のこすり洗いのし易さ、及び装着感について、ＶＡＳ法（visual analogue scale法）で評価した。【０１２０】
ＶＡＳ法の評価軸は、「こすり洗いのし易さ」については、10ｃｍのスケール上の左端に「予想される中で最もこすり洗いし難い状態」を0点（0cm）、「予想される中で最もこすり洗いし易い状態」を10点（10cm）とした。その上で、各試験液について相当すると思われる「こすり洗いのし易さ」の点をスケール上に自由に記す方法で評価した。同様に、「装着感」については、10ｃｍのスケール上の左端に「予想される中で最も装着感が悪い状態」を0点（0cm）、「予想される中で最も装着感が良い状態」を10点（10cm）とした。その上で、各試験液について相当すると思われる「装着感」の点をスケール上に自由に記す方法で評価した。【０１２１】
結果を表４に併せて示す。この結果から、実施例２のCLケア用組成物は、こすり洗いのし易さ、及び装着感が共に顕著に優れており、使用感が極めて良好であることが明らかとなった。尚、実施例２のCLケア用組成物をPET容器に充填し、40℃1.5ヶ月保存した後に同様の試験を実施したところ、こすり洗いのし易さ及び装着感共に、製造直後の場合と同様の良好な結果であった。【０１２２】
【表４】
2012005311.tif 000010
【０１２３】
試験例３：乾燥によるコンタクトレンズの硬度変化の評価
表１に示す実施例２及び３のCLケア用組成物（製造直後）を用いて、乾燥によるコンタクトレンズの硬度変化を評価するために、以下の試験を実施した。具体的には、コンタクトレンズ（グループIV  含水率58％、素材：Etafilcon A）を、生理食塩液、実施例２又は３のCLケア用組成物に15時間浸漬した。その後、コンタクトレンズを取り出し、余分な水分を拭き取った後に、30分間室温で放置した。次いで、コンタクトレンズの硬度を、Bubble Tester T-1T（TECHNO HASHIMOTO Co., Ltd製）を用いて下記の条件にて測定した。
＜硬度の測定条件＞
・サイクル試験（サイクル回数1）
・往復幅：10mm
・移動速度：10mm/s
・加速速度：0.1G
・開始位置：190mm。【０１２４】
測定した各コンタクトレンズの硬度を元に、生理食塩液で処理した場合の硬度を100とした場合の、各CLケア用組成物で処理した場合の硬度の比率（硬度比：％）を算出した。なお、硬度が小さいほどコンタクトレンズが柔らかさを保っていると考えられる。【０１２５】
結果を表５に示す。この結果から、実施例２及び３のCLケア用組成物に浸漬処理したコンタクトレンズは、乾燥条件下に置いて柔らかさが保持できていることが確認された。尚、実施例2のCLケア用組成物をPET容器に充填し、40℃1.5ヶ月保存した後に同様の試験を実施したところ、製造直後の場合と同様の良好な結果であった。【０１２６】
【表５】
2012005311.tif 000011
【０１２７】
製剤例  表６〜９に記載の処方で、コンタクトレンズ用消毒・洗浄・保存剤（マルチパーパスソリューション）（実施例４−３１）を調製した。【０１２８】
実施例４−１７のコンタクトレンズ用消毒・洗浄・保存剤を調製直後にPET製容器（PET含有量90％以上、容量500mL）に500mLずつ充填し、キャップを施した上で60℃にて２週間保存した。保存後に、上記試験例１及び２と同条件で、殺菌力、外観性状、ポリオキシエチレンポリオキシプロピレングリコールの安定性、使用感について評価を行った。また、調製直後に上記試験例３と同条件で、乾燥によるコンタクトレンズの変化について評価を行った。この結果、実施例４−１７のコンタクトレンズ用消毒・洗浄・保存剤のいずれでも、殺菌力、外観性状、ポリオキシエチレンポリオキシプロピレングリコールの低分子化の抑制効果、使用感、及び乾燥によるコンタクトレンズの変化の抑制効果は、良好であった。【０１２９】
【表６】
2012005311.tif 000012
【０１３０】
【表７】
2012005311.tif 000013
【０１３１】
【表８】
2012005311.tif 000014
【０１３２】
【表９】
2012005311.tif 000015
【国際調査報告】
2012005311.tif 000016
2012005311.tif 000017
2012005311.tif 000018
2012005311.tif 000019
2012005311.tif 000020